(57)【特許請求の範囲】
【請求項１】
ガラス基板と、
前記ガラス基板に形成された有機ＥＬ素子と、
前記ガラス基板に形成され、前記有機ＥＬ素子の電極と電気的に接続された引き出し電極と、
前記ガラス基板の端部に沿って配置され、異方性導電膜を介して前記引き出し電極に接続されるフレキシブル配線基板とを備え、
前記フレキシブル配線基板は、前記ガラス基板の端部に沿って延在する第１配線と、第１絶縁層と、前記ガラス基板の端部に沿って延在する第２配線と、第２絶縁層とがこの順で積層された構造であり、
前記ガラス基板の厚さは、前記第２配線の厚さの５倍未満であり、
前記第１配線の幅は、前記第２配線の幅の７５％以上１２５％以下である、又は、前記第２配線の幅は、前記第１配線の幅の７５％以上１２５％以下である、
発光装置。
【請求項２】
前記第１配線及び前記第２配線の少なくとも一方は、複数の配線パターンによって構成されており、
前記複数の配線パターンにおいて、隣り合う配線パターンの間には隙間が存在し、
前記隙間の間隔は、前記ガラス基板の厚さの１０倍未満である、
請求項１に記載の発光装置。
【請求項３】
前記第１配線及び前記第２配線の少なくとも一方には、前記第１配線又は前記第２配線の長手方向に沿って断面積が他の部分における断面積よりも小さい応力緩和部が存在する、
請求項１又は２に記載の発光装置。
【請求項４】
前記応力緩和部は、前記第１配線又は前記第２配線の長手方向に直交する方向に延在するように開口するスリットである、
請求項３に記載の発光装置。
【請求項５】
前記スリットは、前記第１配線及び前記第２配線の少なくとも一方の配線に複数形成されており、
複数の前記スリットは、前記一方の配線の幅方向における一方の辺から他方の辺に向かって形成された複数の第１スリットと、前記一方の配線の幅方向における前記他方の辺から前記一方の辺に向かって形成された複数の第２スリットとを有し、
前記複数の第１スリットと前記複数の第２スリットとは、前記一方の配線の長手方向に沿って交互に形成されている、
請求項４に記載の発光装置。
【請求項６】
前記スリットの幅は、前記ガラス基板の厚さの１０倍未満である、
請求項４又は５に記載の発光装置。
【請求項７】
前記第１配線及び前記第２配線の少なくとも一方は、アノード電位のアノード用配線と、カソード電位のカソード用配線と、前記アノード用配線と前記カソード用配線との間に形成された無電位のダミー配線とを有する、
請求項１〜６のいずれか１項に記載の発光装置。
【請求項８】
前記第１配線及び前記第２配線は、銅によって構成されている、
前記第１絶縁層及び前記第２絶縁層は、ポリイミドによって構成されている、
請求項１〜７のいずれか１項に記載の発光装置。
【請求項９】
ガラス基板の端部に沿って配置され、異方性導電膜を介して前記ガラス基板に形成された引き出し電極に接続されるフレキシブル配線基板であって、
前記フレキシブル配線基板は、前記ガラス基板の端部に沿って延在する第１配線と、第１絶縁層と、前記ガラス基板の端部に沿って延在する第２配線と、第２絶縁層とがこの順で積層された構造であり、
前記ガラス基板の厚さは、前記第２配線の厚さの５倍未満であり、
前記第１配線の幅は、前記第２配線の幅の７５％以上１２５％以下である、又は、前記第２配線の幅は、前記第１配線の幅の７５％以上１２５％以下である、
フレキシブル配線基板。
【発明の詳細な説明】
【技術分野】
【０００１】
本発明は、発光装置及び発光装置に用いられるフレキシブル配線基板に関する。
【背景技術】
【０００２】
有機ＥＬパネル（Ｅｌｅｃｔｒｏ  Ｌｕｍｉｎｅｓｃｅｎｃｅ）等の発光装置は、高効率な面光源として各種装置への適用が検討されている。一例として、有機ＥＬパネルは、照明、ディスプレイ又は窓等への応用が期待されている。例えば、特許文献１には、照明として用いられる有機ＥＬパネルが開示されている。
【０００３】
有機ＥＬパネルは、例えば、ガラス基板と、ガラス基板に形成された有機ＥＬ素子とを備えている。有機ＥＬ素子は、アノードと、カソードと、アノードとカソードとの間に形成された発光層（有機ＥＬ層）とを有する。
【０００４】
有機ＥＬ素子を発光させるための電力をアノード及びカソードに供給するために、ガラス基板の端部には、アノード及びカソードの各々と接続された複数の引き出し電極（端子電極）が設けられている。引き出し電極には、ＦＰＣ（Ｆｌｅｘｉｂｌｅ  Ｐｒｉｎｔｅｄ  Ｃｉｒｃｕｉｔｓ）等のフレキシブル配線基板が接続される。例えば、引き出し電極とフレキシブル配線基板とは、異方性導電膜（Ａｎｉｓｏｔｒｏｐｉｃ  Ｃｏｎｄｕｃｔｉｖｅ  Ｆｉｌｍ：ＡＣＦ）を介して熱圧着することにより接合される。
【先行技術文献】
【特許文献】
【０００５】
【特許文献１】特開２０１４−１１２５１５号公報
【発明の概要】
【発明が解決しようとする課題】
【０００６】
従来の発光装置では、薄板のガラス基板にフレキシブル配線基板を接合させる際に、ガラス基板が割れたり欠けたりするという問題がある。
【０００７】
本発明は、このような課題を解決するためになされたものであり、薄板のガラス基板にフレキシブル配線基板を接合させる際に、ガラス基板が割れたり欠けたりすることを抑制できる発光装置及びフレキシブル配線基板を提供することを目的とする。
【課題を解決するための手段】
【０００８】
上記課題を解決するために、本発明に係る発光装置の一態様は、ガラス基板と、前記ガラス基板に形成された有機ＥＬ素子と、前記ガラス基板に形成され、前記有機ＥＬ素子の電極と電気的に接続された引き出し電極と、前記ガラス基板の端部に沿って配置され、異方性導電膜を介して前記引き出し電極に接続されるフレキシブル配線基板とを備え、前記フレキシブル配線基板は、前記ガラス基板の端部に沿って延在する第１配線と、第１絶縁層と、前記ガラス基板の端部に沿って延在する第２配線と、第２絶縁層とがこの順で積層された構造であり、前記ガラス基板の厚さは、前記第２配線の厚さの５倍未満であり、
前記第１配線の幅と前記第２配線の幅とは略同等であることを特徴とする。
【０００９】
また、本発明に係るフレキシブル配線基板の一態様は、ガラス基板の端部に沿って配置され、異方性導電膜を介して前記ガラス基板に形成された引き出し電極に接続されるフレキシブル配線基板であって、前記フレキシブル配線基板は、前記ガラス基板の端部に沿って延在する第１配線と、第１絶縁層と、前記ガラス基板の端部に沿って延在する第２配線と、第２絶縁層とがこの順で積層された構造であり、前記ガラス基板の厚さは、前記第２配線の厚さの５倍未満であり、平面視において、前記第１配線の幅と前記第２配線の幅とは略同等であることを特徴とする。
【発明の効果】
【００１０】
フレキシブル配線基板をガラス基板に接続する際に、ガラス基板が割れたり欠けたりすることを抑制できる。
【図面の簡単な説明】
【００１１】
【図１Ａ】実施の形態１に係る発光装置の平面図である。
【図１Ｂ】実施の形態１に係る発光装置の断面図である。
【図２Ａ】実施の形態１に係るフレキシブル配線基板の平面図である。
【図２Ｂ】実施の形態１に係るフレキシブル配線基板の断面図である。
【図２Ｃ】実施の形態１に係るフレキシブル配線基板における第１配線のパターンを示す図である。
【図２Ｄ】実施の形態１に係るフレキシブル配線基板における第２配線のパターンを示す図である。
【図３】実施の形態１に係る発光装置におけるガラス基板にフレキシブル配線基板をＡＣＦ接続するときの様子を説明するための図である。
【図４Ａ】実施の形態２に係るフレキシブル配線基板の平面図である。
【図４Ｂ】実施の形態２に係るフレキシブル配線基板の断面図である。
【図４Ｃ】実施の形態２に係るフレキシブル配線基板における第１配線のパターンを示す図である。
【図４Ｄ】実施の形態２に係るフレキシブル配線基板における第２配線のパターンを示す図である。
【図５Ａ】フレキシブル配線基板の平面図である。
【図５Ｂ】フレキシブル配線基板の断面図である。
【図５Ｃ】フレキシブル配線基板における第１配線のパターンを示す図である。
【図５Ｄ】フレキシブル配線基板における第２配線のパターンを示す図である。
【図６】図５Ａに示すフレキシブル配線基板をガラス基板の引き出し電極にＡＣＦ接続するときの様子を説明するための図である。
【発明を実施するための形態】
【００１２】
（本実施の形態の一態様を得るに至った経緯）
以下、本発明の実施の形態を具体的に説明するのに先立ち、本実施の形態の一態様を得るに至った経緯について、図５Ａ〜図５Ｄ及び図６を用いて説明する。
【００１３】
図５Ａ〜図５Ｄは、出願人が検討したフレキシブル配線基板４００の構造を示している。図５Ａは、そのフレキシブル配線基板の平面図、図５Ｂは、図５ＡのＶＢ−ＶＢ線における同フレキシブル配線基板の断面図、図５Ｃは、同フレキシブル配線基板における第１配線のパターンを示す図、図５Ｄは、同フレキシブル配線基板における第２配線のパターンを示す図である。
【００１４】
フレキシブル配線基板４００は、図５Ａに示すように長尺状であり、例えば有機ＥＬパネルのガラス基板の外周端部に沿って配置される。つまり、フレキシブル配線基板４００の長手方向は、ガラス基板の外周端部に沿った方向となる。なお、フレキシブル配線基板４００の第１給電部４０６ａにはアノード電圧が印加され、第２給電部４０６ｂにはカソード電圧が印加される。これにより、フレキシブル配線基板４００を介して有機ＥＬ素子のアノードとカソードとに電圧が印加される。
【００１５】
図５Ｂに示すように、フレキシブル配線基板４００は、第１配線４０１、第１絶縁層４０２、第２配線４０３及び第２絶縁層４０４がこの順で積層された構造である。例えば、第１配線４０１及び第２配線４０３は、銅からなる銅配線であり、第１絶縁層４０２及び第２絶縁層４０４は、ポリイミドからなるポリイミド層である。また、第２配線４０３と第２絶縁層４０４との間には接着層４０５が形成されている。
【００１６】
図５Ｃに示すように、第１配線４０１は、フレキシブル配線基板４００の長手方向に沿って延在するように帯状に形成されている。第１配線４０１は断続的に形成されており、第１配線４０１は複数の配線パターンからなる。具体的には、第１配線４０１は、アノード電位となる第１アノード用配線４０１Ａとカソード電位となる第１カソード用配線４０１Ｋとからなる。
【００１７】
図５Ｄに示すように、第２配線４０３は、フレキシブル配線基板４００の長手方向に沿って延在するように帯状に形成されている。また、第２配線４０３の幅は、第１配線４０１の幅よりも狭くなっている。例えば、第２配線４０３の幅は、第１配線４０１の幅の半分である。第２配線４０３も断続的に形成されており、第２配線４０３は複数の配線パターンからなる。具体的には、第２配線４０３は、アノード電位となる第２アノード用配線４０３Ａとカソード電位となる第２カソード用配線４０３Ｋとからなる。
【００１８】
下層の第１アノード用配線４０１Ａと上層の第２アノード用配線４０３Ａとは、コンタクト部を介して電気的に接続されている。また、下層の第１カソード用配線４０１Ｋと上層の第２カソード用配線４０３Ｋとは、コンタクト部を介して電気的に接続されている。
【００１９】
これにより、フレキシブル配線基板４００の第１給電部４０６ａ及び第２給電部４０６ｂにアノード電圧及びカソード電圧が印加されると、第１配線４０１と第２配線４０３とには、フレキシブル配線基板４００の長手方向に沿ってアノード電位とカソード電位とが上下交互に入れ替わりながら存在することになる。
【００２０】
このように構成されるフレキシブル配線基板４００は、例えば有機ＥＬパネルのガラス基板の端部に形成された引き出し電極に接合される。具体的には、フレキシブル配線基板４００と引き出し電極とは、異方性導電膜（ＡＣＦ）を用いた熱圧着によって電気的及び物理的に接続される。
【００２１】
このとき、図５Ａ〜図５Ｄに示す構成のフレキシブル配線基板４００を用いた場合、図６に示すように、異方性導電膜７００を介してフレキシブル配線基板４００を引き出し電極３００に接続する際、熱圧着時の加圧によってガラス基板１００が割れたり欠けたりすることがある。
【００２２】
これは、第２配線４０３の幅が第１配線４０１の幅よりも狭くなっているので第２配線４０３の幅方向の端部の厚みによって第１絶縁層４０２の上で段差が構成され、熱圧着時の圧力によって第２配線４０３の端部のエッジに荷重が集中するからである。
【００２３】
特に、金属配線等からなるリジッドな第２配線４０３は圧力を受けても伸縮しにくいことから、第２配線４０３の端部のエッジに荷重が集中しやすい。これにより、熱圧着時にガラス基板１００における第２配線４０３の端部の直下に応力が集中し、ガラス基板１００に局所的な曲げ応力がかかることになる。この結果、ガラス基板１００が割れたり欠けたりする。
【００２４】
このようにガラス基板１００が割れたり欠けたりするのはガラス基板１００が薄いことも一因であるが、本願発明者らが鋭意検討した結果、特に、ガラス基板１００の厚さがフレキシブル配線基板４００の第２配線４０３の厚さの５倍未満になった場合に、ガラス基板１００の割れや欠けの発生頻度が際立って多くなることが分かった。
【００２５】
本実施の形態は、このような知見に基づいてなされたものであり、ガラス基板が割れたり欠けたりすることを抑制できる発光装置及びフレキシブル配線基板を提供することを目的とする。
【００２６】
以下、本発明の実施の形態について、図面を参照しながら詳細に説明する。以下に説明する実施の形態は、いずれも本発明の好ましい一具体例を示すものである。したがって、以下の実施の形態で示される数値、形状、材料、構成要素、構成要素の配置位置及び接続形態、工程（ステップ）、工程の順序等は、一例であって本発明を限定する主旨ではない。よって、以下の実施の形態における構成要素のうち、本発明の最上位概念を示す独立請求項に記載されていない構成要素については、任意の構成要素として説明される。
【００２７】
なお、各図は、模式図であり、必ずしも厳密に図示されたものではない。また、各図において、実質的に同一の構成に対しては同一の符号を付しており、重複する説明は省略又は簡略化する。
【００２８】
（実施の形態１）
まず、実施の形態１に係る発光装置１の構成について、図１Ａ及び図１Ｂを用いて説明する。図１Ａは、実施の形態１に係る発光装置１の平面図である。図１Ｂは、実施の形態１に係る発光装置１の断面図であり、図１ＡにおけるＩＢ−ＩＢ線における断面を示している。
【００２９】
発光装置１は、所定の色の光を発する面発光型の発光デバイス（面状発光装置）である。本実施の形態における発光装置１は、照明用であり、例えば白色光を発する。
【００３０】
図１Ａ及び図１Ｂに示すように、発光装置１は、例えば有機ＥＬパネルであり、ガラス基板１０と、有機ＥＬ素子２０と、引き出し電極３０と、フレキシブル配線基板４０とを備える。
【００３１】
発光装置１は、さらに、ガラス基板１０に対向する対向基板５０と、ガラス基板１０と対向基板５０とをシールするシール樹脂６０とを備える。対向基板５０としてはガラス基板又は樹脂基板を用いることができる。ガラス基板１０と対向基板５０との間に空隙には、固体乾燥剤等の充填剤が充填されていてもよい。
【００３２】
ガラス基板１０は、例えば平面視形状が矩形状の透明ガラス基板である。なお、ガラス基板１０の形状は、正方形や長方形の矩形に限るものではなく、矩形以外の多角形又は円形等であってもよい。また、ガラス基板１０は、リジッド基板でもよいが、可撓性を有するフレキシブル基板であってもよい。
【００３３】
ガラス基板１０としては、薄板状のものを用いている。ガラス基板１０の厚さは、例えば５０μｍであり、フレキシブル配線基板４０の第２配線４３の厚さの５倍未満である。
【００３４】
有機ＥＬ素子２０は、ガラス基板１０に形成される。有機ＥＬ素子２０は、第１電極２１と、第２電極２２と、第１電極２１と第２電極２２との間に形成された発光層２３とを有する。
【００３５】
第１電極２１は、ガラス基板１０上に平面状に形成される。発光層２３は、第１電極２１上に平面状に形成される。第２電極２２は、発光層２３上に平面状に形成される。本実施の形態において、第１電極２１がアノード（陽極）であり、第２電極２２がカソード（陰極）である。
【００３６】
本実施の形態における有機ＥＬ素子２０は、片面発光型の有機ＥＬ素子であり、第１電極２１（アノード）が透光性を有し、第２電極２２（カソード）が反射性を有する。例えば、第１電極２１は、透明導電膜からなる透明電極であり、ＩＴＯ、ＩＺＯ（Ｉｎｄｉｕｍ  Ｚｉｎｃ  Ｏｘｉｄｅ）、又は、ＡＺＯ（Ａｌ添加のＺｎＯ）等の導電性透明金属酸化物によって構成されている。第２電極２２は、銀、アルミニウム又は銅等の金属材料によって構成された反射電極である。なお、第１電極２１の電圧降下によって有機ＥＬ素子２０の中央部が暗くなることを抑制するために、第１電極２１の表面にアルミニウム等の低抵抗材料からなる複数本の細線からなる補助電極を形成してもよい。
【００３７】
発光層２３は、発光物質である有機化合物を含有する有機発光層（有機ＥＬ層）を含む。発光層２３は、有機発光層の他に、ホール注入層、ホール輸送層、電子輸送層、電子注入層及び中間層の中から選択される一つ以上の機能層を含んでいてもよい。例えば、本実施の形態のように、第１電極２１がアノードで、第２電極２２がカソードである場合、発光層２３として、第１電極２１側から第２電極２２に向かって順に、ホール注入層、ホール輸送層、有機発光層、電子輸送層及び電子注入層を積層したものを用いることができる。
【００３８】
引き出し電極３０は、有機ＥＬ素子２０の電極と電気的に接続された電極であって、ガラス基板１０に形成される。図１Ａに示すように、引き出し電極３０は、ガラス基板１０の対向する２つの辺の端部の各々に形成されている。
【００３９】
引き出し電極３０は、有機ＥＬ素子２０のアノードである第１電極２１に接続されたアノード用引き出し電極３０Ａと、有機ＥＬ素子２０のカソードである第２電極２２に接続されたカソード用引き出し電極３０Ｋとからなる。本実施の形態において、ガラス基板１０の一方の端部（紙面上方の端部）及び他方の端部（紙面下方の端部）の各々には、３つのアノード用引き出し電極３０Ａと、２つのカソード用引き出し電極３０Ｋとが形成されている。
【００４０】
また、ガラス基板１０の対向する二辺の各端部において、アノード用引き出し電極３０Ａとカソード用引き出し電極３０Ｋとは、ガラス基板１０の外周端部に沿って交互に形成されている。
【００４１】
具体的には、第１電極２１は、平面視において有機ＥＬ素子２０の発光層２３に対応する主要部分が略矩形状となるように形成されており、アノード用引き出し電極３０Ａは、さらに、ガラス基板１０の対向する二辺の各々に向かって第１電極２１から突出するように形成されている。カソード用引き出し電極３０Ｋは、隣り合うアノード用引き出し電極３０Ａの間において、アノード用引き出し電極３０Ａと分離して形成されている。
【００４２】
アノード用引き出し電極３０Ａ及びカソード用引き出し電極３０Ｋは、第１電極２１と同層に形成されており、アノード用引き出し電極３０Ａ及びカソード用引き出し電極３０Ｋの材料は、第１電極２１を構成する材料と同じにすることができる。したがって、アノード用引き出し電極３０Ａ、カソード用引き出し電極３０Ｋ及び第１電極２１は、同一の導電膜をパターニングすることで同時に形成することができる。本実施の形態において第１電極２１はＩＴＯ膜であるので、アノード用引き出し電極３０Ａ及びカソード用引き出し電極３０ＫもＩＴＯ膜である。
【００４３】
フレキシブル配線基板４０は、例えば長尺状かつフィルム状の配線が形成された基板であり、図１Ａに示すように、ガラス基板１０の端部に沿って配置される。フレキシブル配線基板４０は、例えばＦＰＣである。
【００４４】
フレキシブル配線基板４０は、当該フレキシブル配線基板４０の長手方向がガラス基板１０の外周端部に沿った方向となるように、ガラス基板１０の一方の端部（紙面上方の端部）及び他方の端部（紙面下方の端部）の各々に配置されている。
【００４５】
ここで、フレキシブル配線基板４０の構造について、図１Ａを参照しながら、図２Ａ〜図２Ｄを用いて説明する。図２Ａは、実施の形態１に係るフレキシブル配線基板の平面図であり、図２Ｂは、図２ＡのＩＩＢ−ＩＩＢ線における同フレキシブル配線基板の断面図であり、図２Ｃは同フレキシブル配線基板における第１配線のパターンを示す図であり、図２Ｄは同フレキシブル配線基板における第２配線のパターンを示す図である。
【００４６】
図２Ａに示すように、フレキシブル配線基板４０は、第１配線４１及び第２配線４３を有する。なお、図２Ａでは、第１配線４１及び第２配線４３が絶縁層を透過して視認される様子を示している。第１配線４１及び第２配線４３は、フレキシブル配線基板４０の長手方向に沿って所定の幅（線幅）で形成される。つまり、第１配線４１及び第２配線４３は、ガラス基板１０の端部外周に沿って延在している。
【００４７】
また、図１Ａ及び図２Ａに示すように、フレキシブル配線基板４０は、第１給電部４６ａ及び第２給電部４６ｂを有する。第１給電部４６ａ及び第２給電部４６ｂは、有機ＥＬ素子２０を発光するための電力を外部から受けるとともに、当該電力を有機ＥＬ素子２０に給電する機能を有し、本実施の形態では、第２配線４３の露出部分である。
【００４８】
第１給電部４６ａ及び第２給電部４６ｂ（第２配線４３の露出部分）には、一例として一対の給電用配線等がはんだ接続される。これにより、外部電源回路からの直流電力が一対の給電用配線が第１給電部４６ａ及び第２給電部４６ｂに供給される。この場合、第１給電部４６ａにはアノード電圧が印加され、第２給電部４６ｂにはカソード電圧が印加される。これにより、フレキシブル配線基板４０を介して有機ＥＬ素子２０の第１電極２１と第２電極２２とに所定の電圧が印加される。
【００４９】
フレキシブル配線基板４０は、複数の配線と複数の絶縁層との積層構造であり、本実施の形態では、図２Ｂに示すように、第１配線４１と、第１絶縁層４２と、第２配線４３と、第２絶縁層４４とがこの順で積層された構造になっている。第１配線４１の幅と第２配線４３の幅とは略同等である。第１配線４１及び第２配線４３の各幅は、例えば２ｍｍである。また、第１絶縁層４２及び第２絶縁層４４の各幅も略同等である。なお、本明細書において、部材の寸法（幅等）が略同等とは、製造誤差を含む概念である。例えば、本実施の形態において、第１配線４１と第２配線４３との重なりには、５００μｍ程度までのずれがあってもよい。
【００５０】
第１配線４１及び第２配線４３は、金属等の導電性材料によって構成されており、例えば金属配線である。本実施の形態において、第１配線４１及び第２配線４３は、銅からなる銅配線である。なお、第１配線４１及び第２配線４３の厚さは、例えば２０μｍである。
【００５１】
第１絶縁層４２は、第１配線４１と第２配線４３とを絶縁分離するために第１配線４１と第２配線４３との間に形成される。また、第１絶縁層４２は、第１配線４１を保護するために第１配線４１を覆うように形成されている。第２絶縁層４４は、第２配線４３を保護するために第２配線４３を覆うように形成されている。
【００５２】
第１絶縁層４２及び第２絶縁層４４は、絶縁樹脂等の絶縁性材料によって構成されており、本実施の形態では、ポリイミドからなるポリイミド層である。ポリイミドは耐熱性及び絶縁性に優れているので、フレキシブル配線基板４０の層間絶縁膜としては好適である。なお、第１絶縁層４２及び第２絶縁層４４の厚さは、例えば２０μｍである。
【００５３】
また、第２配線４３と第２絶縁層４４との間には接着層４５が形成されている。接着層４５は、第２絶縁層４４の全面に形成されている。
【００５４】
図２Ｃに示すように、第１配線４１は、フレキシブル配線基板４０の長手方向に沿って延在するように帯状に形成されている。第１配線４１は、複数の配線パターンによって構成されており、フレキシブル配線基板４０の長手方向において断続的に形成されている。
【００５５】
第１配線４１においては、隣り合う配線パターンの間に隙間が存在する。この隙間は、隣り合う配線パターンを分離するために形成される。この隙間の間隔（幅）は、ガラス基板１０の厚さの１０倍未満にするとよく、例えばガラス基板１０の厚みが５０μｍである場合、５００μｍ未満である。
【００５６】
本実施の形態において、第１配線４１は、複数の配線パターンとして、アノード電圧が印加されてアノード電位となる第１アノード用配線４１Ａと、カソード電圧が印加されてカソード電位となる第１カソード用配線４１Ｋと、電圧が印加されずに無電位となるダミー配線４１Ｄとを有する。第１アノード用配線４１Ａ、第１カソード用配線４１Ｋ及びダミー配線４１Ｄの各々は、一定の幅の帯形状であり、フレキシブル配線基板４０の長手方向に沿って形成されている。なお、第１アノード用配線４１Ａ、第１カソード用配線４１Ｋ及びダミー配線４１Ｄは、互いに同一の幅にしているが、互いに異なる幅であってもよい。
【００５７】
第１アノード用配線４１Ａ及び第１カソード用配線４１Ｋは、フレキシブル配線基板４０の長手方向に沿った長尺状であり、矩形状の配線パターンである。第１アノード用配線４１Ａと第１カソード用配線４１Ｋとは、フレキシブル配線基板４０の長手方向に沿って交互に形成されている。ダミー配線４１Ｄは、第１アノード用配線４１Ａと第１カソード用配線４１Ｋとの間に形成された配線パターンである。
【００５８】
第１アノード用配線４１Ａとダミー配線４１Ｄとの間及び第１カソード用配線４１Ｋとダミー配線４１Ｄとの間の各々には隙間が設けられており、この隙間の間隔（幅）は、ガラス基板１０の厚さの１０倍未満にするとよい。
【００５９】
なお、本実施の形態において、ダミー配線４１Ｄには電圧が印加されずに電流が流れないようにしたが、ダミー配線４１Ｄに所定の電圧を印加して電流が流れるようにしてもよい。
【００６０】
図２Ｄに示すように、第２配線４３は、フレキシブル配線基板４０の長手方向に沿って延在するように帯状に形成されている。第２配線４３も複数の配線パターンによって構成されており、フレキシブル配線基板４０の長手方向において断続的に形成されている。第２配線４３においても、隣り合う配線パターンの間には隙間が存在し、この隙間の間隔（幅）も、ガラス基板１０の厚さの１０倍未満にするとよい。
【００６１】
本実施の形態において、第２配線４３は、複数の配線パターンとして、アノード電圧が印加されてアノード電位となる第２アノード用配線４３Ａと、カソード電圧が印加されてカソード電位となる第２カソード用配線４３Ｋとを有する。第２アノード用配線４３Ａ及び第２カソード用配線４３Ｋの各々は、主配線部が一定の幅の帯形状であり、フレキシブル配線基板４０の長手方向に沿った長尺状の配線パターンである。なお、第２アノード用配線４３Ａ及び第２カソード用配線４３Ｋの主配線部は、互いに同一の幅にしているが、互いに異なる幅であってもよい。
【００６２】
第２アノード用配線４３Ａと第２カソード用配線４３Ｋとは、フレキシブル配線基板４０の長手方向に沿って交互に形成されている。また、第２アノード用配線４３Ａ及び第２カソード用配線４３Ｋの各々は、フレキシブル配線基板４０の長手方向に沿って対向する部分が互いにかみ合うように突出し、かつ、側部が互いに対向する突出部を有する。
【００６３】
第２アノード用配線４３Ａと第２アノード用配線４３Ａとの間には隙間が設けられており、この隙間の間隔（幅）は、ガラス基板１０の厚さの１０倍未満にするとよい。具体的には、第２アノード用配線４３Ａと第２アノード用配線４３Ａとの間には、フレキシブル配線基板４０の長手方向の隙間とこの長手方向に直交する方向の隙間とが存在するが、いずれの隙間の間隔もガラス基板１０の厚さの１０倍未満になっている。
【００６４】
なお、本実施の形態において、第２配線４３は、第２アノード用配線４３Ａ及び第２カソード用配線４３Ｋのみによって構成したが、第１配線４１のようにダミー配線を有していてもよい。また、第１配線４１の方を第２配線４３のように構成してもよい。
【００６５】
図２Ｂ〜図２Ｄに示すように、下層の第１アノード用配線４１Ａと上層の第２カソード用配線４３Ｋとは、第１絶縁層４２を介して対向するように配置されている。一方、下層の第１カソード用配線４１Ｋと上層の第２アノード用配線４３Ａとは、第１絶縁層４２を介して対向するように配置されている。
【００６６】
また、下層の第１アノード用配線４１Ａと上層の第２アノード用配線４３Ａとは、各配線の端部に設けられたコンタクト部（ランド）を介して電気的に接続されている。一方、下層の第１カソード用配線４１Ｋと上層の第２カソード用配線４３Ｋとは、各配線の端部に設けられたコンタクト部（ランド）を介して電気的に接続されている。例えば、第１アノード用配線４１Ａと上層の第２アノード用配線４３Ａとは、導電性材料によって接続されている。同様に、第１カソード用配線４１Ｋと上層の第２カソード用配線４３Ｋとは、導電性材料によって接続されている。このように、下層の第１配線４１と上層の第２配線４２とは、平面視において配線が重なった端部において導電性材料を介して電気的に接続されている。
【００６７】
これにより、外部電源を介してフレキシブル配線基板４０の第１給電部４６ａ及び第２給電部４６ｂにアノード電圧及びカソード電圧が印加されると、下層の第１配線４１と上層の第２配線４３とには、フレキシブル配線基板４０の長手方向に沿ってアノード電位とカソード電位が上下交互に入れ替わりながら存在することになる。
【００６８】
この結果、第１アノード用配線４１Ａに接続された３つのアノード用引き出し電極３０Ａにはアノード電圧が供給され、第１カソード用配線４１Ｋに接続された２つのカソード用引き出し電極３０Ｋにはカソード電圧が供給される。これにより、第１電極２１の対向する二辺の各々の全体からアノード電圧を印加することができるとともに、第２電極２２の対向する二辺の各々の全体からカソード電圧を印加することができる。したがって、平面状の発光層２３に対して均一に給電することができるので、有機ＥＬ素子２０を面内均一に発光させることができる。
【００６９】
このように構成されるフレキシブル配線基板４０は、異方性導電膜（ＡＣＦ）を介してガラス基板１０に形成された引き出し電極３０に接続される。異方性導電膜は、フィルムテープ状の異方性導電接着剤であり、例えばバインダーと呼ばれる熱硬化性接着剤の中に直径数ミクロンの導電性粒子を分散させたものである。
【００７０】
具体的には、図３に示すように、フレキシブル配線基板４０は、異方性導電膜７０を用いた熱圧着によって引き出し電極３０と電気的及び物理的に接続される。図３は、実施の形態１に係る発光装置１におけるガラス基板１０にフレキシブル配線基板４０をＡＣＦ接続するときの様子を説明するための図である。
【００７１】
なお、詳細は図示しないが、フレキシブル配線基板４０の第１アノード用配線４１Ａがアノード用引き出し電極３０ＡにＡＣＦ接続され、フレキシブル配線基板４０の第１カソード用配線４１Ｋがカソード用引き出し電極３０ＫにＡＣＦ接続される。
【００７２】
以下、図３を参照して、フレキシブル配線基板４０をガラス基板１０に形成された引き出し電極３０に接続するときの方法を説明する。
【００７３】
まず、異方性導電膜７０を挟むように、ガラス基板１０の引き出し電極３０とフレキシブル配線基板４０とを対向させて配置して、異方性導電膜７０を介して引き出し電極３０とフレキシブル配線基板４０とを重ね合わせる。具体的には、ガラス基板１０の外周端部に沿って帯状の異方性導電膜７０を配置して、この異方性導電膜７０の上に、異方性導電膜７０に沿うようにフレキシブル配線基板４０を配置する。
【００７４】
次に、ヒータ等を用いて異方性導電膜７０を介してフレキシブル配線基板４０をガラス基板１０の引き出し電極３０に熱圧着を行う。具体的には、図３の矢印で示されるように、フレキシブル配線基板４０の第２絶縁層４４の表面にヒータを押し当てることによって、フレキシブル配線基板４０の積層方向に対してフレキシブル配線基板４０及び異方性導電膜７０を加圧及び加熱する。これにより、異方性導電膜７０を介してフレキシブル配線基板４０をガラス基板１０に熱圧着させる。
【００７５】
このとき、上述の図６に示すように、図５Ａ〜図５Ｄに示される構成のフレキシブル配線基板４００を用いた場合、第２配線４０３の幅方向の端部によって生じる段差によって、ガラス基板１００が割れたり欠けたりする。
【００７６】
特に、ガラス基板１００の厚さがフレキシブル配線基板４００の第２配線４０３の厚さの５倍未満であると、ガラス基板１００が割れやすい。つまり、ガラス基板１００の厚さが第２配線４０３の厚さの５倍未満になってしまうと、第２配線４０３による段差の影響が顕著になってガラス基板１００が割れやすくなる。
【００７７】
これに対して、本実施の形態におけるフレキシブル配線基板４０は、第１配線４１の幅と第２配線４３の幅とが略同等になっている。
【００７８】
これにより、熱圧着時のヒータの加圧によってフレキシブル配線基板４０が積層方向の圧力（押圧）を受けたとしても、第２配線４３の端部のエッジ（段差の角部）に荷重（加圧力）が集中することを抑制することができる。
【００７９】
この結果、第２配線４３の端部の直下に応力が集中することを抑制することができるので、ガラス基板１０に局所的な曲げ応力がかかることを緩和できる。したがって、ガラス基板１０が割れたり欠けたりすることを抑制することができる。
【００８０】
以上、本実施の形態における発光装置１及びフレキシブル配線基板４０によれば、フレキシブル配線基板４０をガラス基板１０に接合する際に、ガラス基板１０が割れたり欠けたりすることを抑制できる。
【００８１】
また、本実施の形態では、第１アノード用配線４１Ａと第１カソード用配線４１Ｋとの間にダミー配線４１Ｄが形成されている。
【００８２】
これにより、電気用品安全法の要請や絶縁性を確保する等の理由により第１アノード用配線４１Ａと第１カソード用配線４１Ｋとの間隔を所定値以上（例えば１．５ｍｍ以上）にしたとしても、第１アノード用配線４１Ａと第１カソード用配線４１Ｋとの間の隙間によって生じる段差を、ダミー配線４１Ｄをその隙間に形成することでなくすことができる。この結果、フレキシブル配線基板４０をガラス基板１０に熱圧着する際に、隣り合う配線パターンの間の隙間による段差によってガラス基板１０に局所的な荷重がかかることを緩和できる。したがって、ガラス基板１０が割れたり欠けたりすることを一層抑制できる。
【００８３】
また、本実施の形態において、第１配線４１及び第２配線４３における隣り合う配線パターンの間の隙間の間隔（幅）は、ガラス基板１０の厚さの１０倍未満になっている。例えば、第１配線４１においては、第１アノード用配線４１Ａとダミー配線４１Ｄとの間及び第１カソード用配線４１Ｋとダミー配線４１Ｄとの間の各々の隙間の間隔が、ガラス基板１０の厚さの１０倍未満になっている。また、第２配線４３においては、第２アノード用配線４３Ａと第２アノード用配線４３Ａとの間の隙間の間隔がガラス基板１０の厚さの１０倍未満になっている。
【００８４】
このように、隣り合う配線パターンの間の隙間の間隔をガラス基板１０の厚さの１０倍未満にすることによって、フレキシブル配線基板４０をガラス基板１０に熱圧着する際に、隣り合う配線パターンの間の隙間による段差によってガラス基板１０に局所的な荷重がかかることを緩和できる。したがって、ガラス基板１０が割れたり欠けたりすることを一層抑制できる。
【００８５】
（実施の形態２）
次に、実施の形態２に係る発光装置について、図４Ａ〜図４Ｄを用いて説明する。図４Ａ〜図４Ｄは、実施の形態２に係る発光装置におけるフレキシブル配線基板４０Ｘの構成を示している。具体的には、図４Ａは、同フレキシブル配線基板の平面図である。図４Ｂは、図４ＡのＩＶＢ−ＩＶＢ線における同フレキシブル配線基板の断面図である。図４Ｃは、同フレキシブル配線基板における第１配線のパターンを示す図である。図４Ｄは、同フレキシブル配線基板における第２配線のパターンを示す図である。
【００８６】
本実施の形態における発光装置は、上記実施の形態１における発光装置１に対してフレキシブル配線基板の構成が異なっており、それ以外の構成は実施の形態１と同じである。したがって、以下、フレキシブル配線基板４０Ｘを中心に説明する。
【００８７】
図４Ａ及び図４Ｂに示すように、フレキシブル配線基板４０Ｘは、実施の形態１のフレキシブル配線基板４０と同様に、第１給電部４６ａ及び第２給電部４６ｂを有するとともに、第１配線４１Ｘと、第１絶縁層４２と、第２配線４３Ｘと、第２絶縁層４４とがこの順で積層された構造になっている。
【００８８】
本実施の形態でも、第１配線４１Ｘの幅と第２配線４３Ｘの幅とは略同等であり、例えば２ｍｍである。また、第１配線４１Ｘ及び第２配線４３Ｘは、金属等の導電性材料によって構成されており、例えば銅配線である。
【００８９】
第１配線４１Ｘは、実施の形態１における第１配線４１と同様に、複数の配線パターンとして、第１アノード用配線４１ＸＡと、第１カソード用配線４１ＸＫと、ダミー配線４１ＸＤとを有する。また、第２配線４３Ｘは、実施の形態１における第２配線４３と同様に、複数の配線パターンとして、第２アノード用配線４３ＸＡと、第２カソード用配線４３ＸＫとを有する。
【００９０】
本実施の形態におけるフレキシブル配線基板４０Ｘは、実施の形態１におけるフレキシブル配線基板４０に対して、応力緩和部が設けられた構成になっている。応力緩和部は、第１配線４１Ｘ及び第２配線４３Ｘの長手方向に沿って断面積が他の部分における断面積よりも小さい部分である。本実施の形態において、応力緩和部は、第１配線４１Ｘ及び第２配線４３Ｘの両方に設けられているが、第１配線４１Ｘ及び第２配線４３Ｘの少なくとも一方に設けられていればよい。
【００９１】
具体的に、応力緩和部は、第１配線４１Ｘ又は第２配線４１Ｘの長手方向に直交する方向に延在するように開口するスリットである。図４Ｃに示すように、第１配線４１Ｘには、応力緩和部として、複数の第１スリット４１ａ及び複数の第２スリット４１ｂが形成されている。また、図４Ｄに示すように、第２配線４３Ｘには、応力緩和部として、複数の第１スリット４３ａ及び複数の第２スリット４３ｂが形成されている。
【００９２】
なお、第１スリット４１ａ及び４３ａと第２スリット４１ｂ及び４３ｂとは、第１配線４１Ｘ及び第２配線４３Ｘの少なくとも一方の配線に形成されていればよい。また、図４Ｄに示すように、第２配線４３Ｘにおいては、第１給電部４６ａ及び第２給電部４６ｂにおける半田の接続不良が生じないように、第２配線４３Ｘにおける第１給電部４６ａ及び第２給電部４６ｂに対応する部分には、第１スリット４３ａ及び第２スリット４３ｂが形成されていない。
【００９３】
第１配線４１Ｘ（第２配線４３Ｘ）において、複数の第１スリット４１ａ（４３ａ）の各々は、第１配線４１Ｘ（第２配線４３Ｘ）の幅方向における一方の辺から他方の辺に向かって形成されている。一方、複数の第２スリット４１ｂ（４３ｂ）は、第１配線４１Ｘ（第２配線４３Ｘ）の幅方向における他方の辺から一方の辺に向かって形成されている。複数の第１スリット４１ａ（４３ａ）と複数の第２スリット４１ｂ（４３ｂ）とは、第１配線４１Ｘ（第２配線４３Ｘ）の長手方向に沿って１本ずつ交互に形成されている。これにより、第１配線４１Ｘ及び第２配線４３Ｘは、略Ｓ字の繰り返し形状になっている。
【００９４】
第１スリット４１ａ及び４３ａと第２スリット４１ｂ及び４３ｂとにおいて、スリットの幅（開口幅）は、ガラス基板１０の厚さの１０倍未満であるとよい。
【００９５】
このように、本実施の形態におけるフレキシブル配線基板４０Ｘでも、第１配線４１Ｘの幅と第２配線４３Ｘの幅とが略同等になっている。これにより、フレキシブル配線基板４０Ｘをガラス基板１０に熱圧着する際に、第２配線４３Ｘの端部のエッジに荷重が集中することを抑制することができるので、ガラス基板１０に局所的な曲げ応力がかかることを緩和できる。したがって、ガラス基板１０が割れたり欠けたりすることを抑制することができる。
【００９６】
以上、本実施の形態における発光装置及びフレキシブル配線基板４０Ｘによれば、実施の形態１と同様に、フレキシブル配線基板４０Ｘをガラス基板１０に接合する際に、ガラス基板１０が割れたり欠けたりすることを抑制できる。
【００９７】
また、本実施の形態でも、第１アノード用配線４１ＸＡと第１カソード用配線４１ＸＫとの間にダミー配線４１ＸＤが形成されている。
【００９８】
これにより、第１アノード用配線４１ＸＡと第１カソード用配線４１ＸＫとの間の隙間によって生じる段差を、ダミー配線４１Ｄによってなくすことができる。この結果、フレキシブル配線基板４０Ｘをガラス基板１０に熱圧着する際に、第１アノード用配線４１ＸＡと第１カソード用配線４１ＸＫとの間の隙間による段差によってガラス基板１０に局所的な荷重がかかることを緩和できる。したがって、ガラス基板１０が割れたり欠けたりすることを一層抑制できる。
【００９９】
また、本実施の形態でも、第１配線４１Ｘ及び第２配線４３Ｘにおける隣り合う配線パターンの間の隙間の間隔（幅）は、ガラス基板１０の厚さの１０倍未満になっている。
【０１００】
これにより、フレキシブル配線基板４０Ｘをガラス基板１０に熱圧着する際に、隣り合う配線パターンの間の隙間による段差によってガラス基板１０に局所的な荷重がかかることを緩和できる。したがって、ガラス基板１０が割れたり欠けたりすることを一層抑制できる。
【０１０１】
さらに、本実施の形態では、第１配線４１Ｘ及び第２配線４３Ｘには、応力緩和部として、第１配線４１Ｘ及び第２配線４３Ｘの長手方向に直交する方向に延在するように開口する第１スリット４１ａ及び４３ａと第２スリット４１ｂ及び４３ｂとが存在する。
【０１０２】
これにより、金属等からなる第１配線４１Ｘ及び第２配線４３Ｘと樹脂からなる第１絶縁層４２及び第２絶縁層４４との線膨張係数差による熱圧着前後の熱伸縮差を緩和することができるので、ガラス基板１０に局所的な曲げ応力がかかることを緩和できる。
【０１０３】
つまり、第１配線４１Ｘや第２配線４３Ｘと第１絶縁層４２や第２絶縁層４４との線膨張係数差によって、フレキシブル配線基板４０Ｘとガラス基板１０との熱圧着前後における第１配線４１Ｘや第２配線４３Ｘと第１絶縁層４２や第２絶縁層４４との熱収縮差が発生し、フレキシブル配線基板４０Ｘが反ってしまう。この場合、反ったフレキシブル配線基板４０Ｘによってガラス基板１０に局所的な曲げ応力がかかってガラス基板１０が欠けたり割れたりする場合がある。
【０１０４】
そこで、本実施の形態では、第１配線４１Ｘ及び第２配線４３Ｘに、第１スリット４１ａ及び４３ａと第２スリット４１ｂ及び４３ｂとが形成されており、第１配線４１Ｘ及び第２配線４３Ｘには、第１配線４１Ｘ及び第２配線４３Ｘの長手方向に沿って断面積が他の部分における断面積よりも小さい部分（応力緩和部）が存在する。これにより、第１配線４１Ｘ及び第２配線４３Ｘと第１絶縁層４２及び第２絶縁層４４との上記熱伸縮差を応力緩和部で緩和できるので、フレキシブル配線基板４０Ｘの反りを抑制できる。したがって、ガラス基板１０に局所的な曲げ応力がかかることを緩和できるので、ガラス基板１０が割れたり欠けたりすることを一層抑制できる。
【０１０５】
また、本実施の形態では、第１配線４１Ｘ（第２配線４３Ｘ）における複数の第１スリット４１ａ（４３ａ）及び複数の第２スリット４１ｂ（４３ａ）が第１配線４１Ｘ（第２配線４３Ｘ）の長手方向に沿って１本ずつ交互に形成されており、第１配線４１Ｘ及び第２配線４３Ｘが略Ｓ字の繰り返し形状になっている。
【０１０６】
これにより、上記熱収縮差によるフレキシブル配線基板４０Ｘの反りを一層抑制できるので、ガラス基板１０に局所的な曲げ応力がかかることをさらに緩和できる。したがって、ガラス基板１０が割れたり欠けたりすることを一層抑制できる。
【０１０７】
また、第１スリット４１ａ（４３ａ）と第２スリット４１ｂ（４３ｂ）とにおいて、スリットの幅（開口幅）は、ガラス基板１０の厚さの１０倍未満であるとよい。
【０１０８】
これにより、フレキシブル配線基板４０Ｘをガラス基板１０に熱圧着する際に、第１スリット４１ａ（４３ａ）及び第２スリット４１ｂ（４３ｂ）の開口による配線の段差によってガラス基板１０に局所的な荷重がかかることを緩和できる。したがって、ガラス基板１０が割れたり欠けたりすることを一層抑制できる。
【０１０９】
（その他変形例等）
以上、本発明に係る発光装置及びフレキシブル配線基板について、実施の形態に基づいて説明したが、本発明は、上記の実施の形態に限定されるものではない。
【０１１０】
例えば、上記の実施の形態において、発光装置（有機ＥＬ素子２０）は片面発光型としたが、これに限るものではなく、発光装置（有機ＥＬ素子２０）は、第１電極２１及び第２電極２２の両方が透光性を有する両面発光型であってもよい。
【０１１１】
また、上記の実施の形態に係る発光装置（有機ＥＬパネル）は、照明装置として実現することができる。例えば、照明装置は、上記実施の形態における発光装置と、当該発光装置に電力を供給する電源回路とを備える。また、上記実施の形態に係る発光装置（有機ＥＬパネル）は、照明装置以外に、表示装置等の他の装置に適用してもよい。
【０１１２】
また、上記の実施の形態に係るフレキシブル配線基板は、発光装置（有機ＥＬパネル）に用いたが、これに限るものではなく、ディスプレイパネルやセンサ等、給電が必要な電子デバイスに適用することができる。
【０１１３】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１４】
１  発光装置
１０  ガラス基板
２０  有機ＥＬ素子
２１  第１電極
２２  第２電極
２３  発光層
３０  引き出し電極
４０、４０Ｘ  フレキシブル配線基板
４１、４１Ｘ  第１配線
４１Ａ、４１ＸＡ  第１アノード用配線（アノード用配線）
４１Ｋ、４１ＸＫ  第１カソード用配線（カソード用配線）
４１Ｄ、４１ＸＤ  ダミー配線
４１ａ、４３ａ  第１スリット
４１ｂ、４３ｂ  第２スリット
４２  第１絶縁層
４３、４３Ｘ  第２配線
４３Ａ、４３ＸＡ  第２アノード用配線（アノード用配線）
４３Ｋ、４３ＸＫ  第２カソード用配線（カソード用配線）
４４  第２絶縁層
７０  異方性導電膜
【図１Ａ】
0006501180.tif 000002
【図１Ｂ】
0006501180.tif 000003
【図２Ａ】
0006501180.tif 000004
【図２Ｂ】
0006501180.tif 000005
【図２Ｃ】
0006501180.tif 000006
【図２Ｄ】
0006501180.tif 000007
【図３】
0006501180.tif 000008
【図４Ａ】
0006501180.tif 000009
【図４Ｂ】
0006501180.tif 000010
【図４Ｃ】
0006501180.tif 000011
【図４Ｄ】
0006501180.tif 000012
【図５Ａ】
0006501180.tif 000013
【図５Ｂ】
0006501180.tif 000014
【図５Ｃ】
0006501180.tif 000015
【図５Ｄ】
0006501180.tif 000016
【図６】
0006501180.tif 000017